Podtech/llm-jp-corpus-v4-ja_patent huggingface dataset:
(57)【要約】      （修正有）【課題】キャビネットの横、又は前後に設置する別の家具によっては設置物の上、或いは下、又は中間に出来る無駄な空間を無くし、収納量を増やすことができる張り出し式棚板付属キャビネットを提供する。【解決手段】キャビネットを構成する垂直パネル３、垂直バー、或いは垂直フレームによって保持された棚板２の幅寸法、又は奥行き寸法、或いは幅と奥行き両方の寸法を延長する。これにより、キャビネットの幅、又は奥行き、或いは幅と奥行きより外側に棚板を張り出させ、収納量を増加させる形式の張り出し棚板を備えた、張り出し式棚板付属キャビネットを形成する。【選択図】図１
0003174841.tif 000002
【実用新案登録請求の範囲】
【請求項１】
（１）キャビネットを構成する垂直パネル、垂直バー、或いは垂直フレームによって保持された棚板の（２）幅寸法、又は奥行き寸法、或いは幅と奥行き両方の寸法を延長することにより、（３）キャビネットの幅、又は奥行き、或いは幅と奥行きより外側に棚板を張り出させ、収納量を増加させる形式の張り出し棚板を備えた、（４）張り出し式棚板付属キャビネット。
【考案の詳細な説明】
【技術分野】
【０００１】  本考案は棚板の付属するキャビネットに関するものである。
【背景技術】
【０００２】  従来の多くのキャビネットの棚板サイズはキャビネットの内寸の幅、又は内寸の奥行きと同じか、或いは狭いサイズである。
【先行技術文献】
【０００３】
【非特許文献】
【非特許文献】  デイノスリビング２０１１年間保存版１２４号  Ｐ１８１〜Ｐ２１１。
【考案の概要】
【考案が解決しようとする課題】
【０００４】  従来の多くのキャビネットの棚板サイズはキャビネットの幅の内寸、又は奥行きの内寸と同じか、或いは狭いサイズであり、横、或いは前後に設置するものによっては設置物の上、或いは下、又は中間の空間が無駄であるため、空間を有効に使い収納量を増加することを解決課題とする。
【課題を解決するための手段】
【０００５】  本考案は従来の問題点を解決するため、キャビネットを構成する垂直パネル、垂直バー、又は垂直フレームによって保持された棚板の幅寸法、或いは奥行き寸法、又は幅と奥行きの両方の寸法を延長することにより、キャビネットの幅、或いは奥行き、又は幅と奥行きより外側に棚板を張り出させ、収納量を増加させる形式の張り出し棚板を備えた張り出し式棚板付属キャビネットにより収納量を増加させる課題を解決するものである。
【考案の効果】
【０００６】  上記考案の張り出し棚板を備えたキャビネットにより横、或いは前後に設置された台、キャビネット、テレビジョン、洗濯機等の上、或いは中間の空間を利用した収納が可能となり、収納量を増加させる効果がある。
【図面の簡単な説明】
【０００７】
【図１】  張り出し式棚板を備えたキャビネット例斜視図。
【図２】  張り出し式棚板を備えた逆向きキャビネット例斜視図。
【図３】  洗濯機横に設置した張り出し式棚板付きキャビネット例斜視図。
【図４】  テレビ横に設置した張り出し式棚板付きキャビネット例斜視図。
【図５】  垂直バー付き張り出し式棚板を備えたキャビネット例斜視図。
【図６】  相対垂直パネルと張り出し式棚板を備えたキャビネット例斜視図。
【考案を実施するための最良の形態】
【０００８】  本考案は従来の問題点を解決するため、キャビネットを構成する垂直パネル、垂直バー、或いは垂直フレームによって保持された棚板の幅、又は奥行き、或いは幅と奥行き両方を延長し、キャビネットより張り出させ収納量を増加させる形式の張り出し棚板を備えたキャビネットを以下、図１〜図６を参照して実施するための最良の形態を説明する。
【実施例】
【０００９】  以下、添付図に従って実施例を説明する。図１は垂直パネル３により保持された幅寸法を延長した棚板１、及び奥行き、及び幅寸法を延長した棚板２がキャビネットより張り出したキャビネットの形態を説明する参考斜視図である。垂直パネル３の形状、寸法、取り付け方向、取り付け位置、及びキャビネット全体の形状、寸法等は図示に限定するものではない。張り出し式棚板は可動式、或いは固定式にかかわらず保持方式は棚受け具、ビス止め等多様であり限定するものではない。棚板に落下防止バー７が付属する場合もある。【００１０】  図２は図１にて説明のキャビネットを下台６部分とセンターパネル５より上下に分割し、トップパネル４とセンターパネルを同サイズ、同形状に設定すれば上部分のキャビネットを回転させれば逆方向に棚板が使用可能となるケースも可能である使用例を説明する応用例の斜視図である。【００１１】  図３はキャビネットの一種であるスリムボードを洗濯機９の横に設置した場合、洗濯機９の上の空間が無駄になるため棚板を幅方向と奥行き方向に延長し張り出し棚板２とした形態を説明する参考例斜視図である。張り出し棚板後方を切り欠き壁面に沿う変形棚板８にする場合もある。図示の如く洗濯機９の上空間を活用し、収納量を増加することが可能となる。【００１２】  図４はリビングにおいてキャビネットの横にテレビジョン１０を載置したローボード１１を設置した場合、図３と同様にテレビジョン１０の上の空間が無駄であり、空間を有効に活用するために棚板幅を延長し張り出し棚１とし、空間を活用し収納量を増加させた例を説明する斜視図である。張り出し棚板１をより安定して保持するために垂直バー１２を付属し、張り出し棚板を保持する場合もある。垂直バー１２、キャビネッツト、及びローボードの形状は図示に限定するものではない。【００１３】  図５は張り出し棚板１を垂直フレーム１３、及び垂直バー１２により保持し、左右に張り出し、左右の空間を有効に使用する場合の参考例斜視図である。垂直バー１２、垂直フレーム１３の形状、設置位置は図示に限定するものではない。【００１４】  図６は垂直パネル３を相対する位置に設置し、張り出し棚板１をキャビネットより外側に張り出させた、垂直パネルの設置位置の例を示す参考斜視図である。垂直パネルは垂直バー、垂直フレームの場合もあるため、図示に限定しない。バックパネル１４が付属する場合もある。
【符号の説明】
【００１５】  １  幅張り出し棚板
２  幅、奥行き張り出し棚板
３  垂直パネル
４  トップパネル
５  センターパネル
６  下キャビネット
７  落下防止ガード
８  変形棚板
９  洗濯機
１０  テレビジョン
１１  ローボード
１２  垂直バー
１３  垂直フレーム
１４  バックパネル
【図１】
0003174841.tif 000003
【図２】
0003174841.tif 000004
【図３】
0003174841.tif 000005
【図４】
0003174841.tif 000006
【図５】
0003174841.tif 000007
【図６】
0003174841.tif 000008
(57)【要約】      （修正有）【課題】家族の楽しいカレンダーになる装飾物掲示具付き壁掛け用カレンダーを提供する。【解決手段】従来の印刷方式の装飾でなく、装飾物・絵・写真・その他が、容易にセット出来、回収出来る「差し立て箱」「差しハサミ庫掲示用具」を設置した。使用者が自由に「差し立て箱」にセットできる装飾品を選択できる方法にした。家族団欒の写真・幼児・ペット・旅行などなど、家族人自身がカメラマンとなり撮影した作品を、カレンダーに掲示して楽しめる。楽しんだ写真は、その月のカレンダーと一緒に「アルバム帳」にファイルしておけば、立派な「家族史」が完成する。【選択図】図１
0003174836.tif 000002
【実用新案登録請求の範囲】
【請求項１】
写真やハガキなどを差して置く箱またはハサミ込み用具とカレンダーを組み合わせた、装飾物掲示具付き壁掛け用立て置き用のカレンダー。
【考案の詳細な説明】
【技術分野】
【０００１】  本案は、カレンダーの活用に関する考案です。
通知ハガキやカードの置き場所など忘れて探すことが多くなってきています。
その保管場所をカレンダーに設置した保管箱に決めておけば、診察日や諸届け日などに日程計画に便利です。
また、お祝いや法事などの書状がカレンダーに簡単に保存出来、カレンダーに実施日をマークしておけば、忘れることはありません。
装飾には、孫の写真や、ペットの写真などを随時差し替えて楽しめます。
なお、この箱にメモ用紙・筆記用具を付けて置くことが出来ます。
【背景技術】
【０００２】  従来も、今日も、カレンダーに写真・ハガキ・メモ用紙・筆記用具が付けられる箱つきも、装飾掲示具・ハサミ込み具付きもありません。
本案の、差し箱やハサミ掲示具に「幼児」の写真を差して、家族が明るく楽しむことが出来ます。
可愛い☆お孫さんの写真も楽しいですね。愛犬や子猫ちゃんの写真も楽しい。こんなに便利なカレンダー、見たことも、使ったこともありません。
【考案が解決しようとする課題】
【０００３】  第一の課題は、差し立て箱をカレンダー壁掛け立て置き板に設置します。
板は木製・プラスチック・ボールなどを使います。
差し立て箱の物とは別に、透明などの袋形式のハサミ込み掲示装飾具を設置したカレンダーを制作します。
第二は、掛け具・ハサミ掲示具に「干支の絵マーク」を表示し、その年の幸せを願います。
第三この差し立て箱の入れ口は、上口のものと、ヨコ口のものを作り、便利な方を、使用者に選んで頂きます。
家族の楽しい、カレンダーになることと存じます。
【考案が解決するための手段】
【０００４】  第一の課題の、掛け板立て置き板、差し立て箱に合わせて成形カットし、組み立てます。プラスチック製は、成形「金型」流し込みで制作します。
第二の課題、干支マークは「マークプレート」を制作して、掛け板立て置き板に箱に貼付します。
第三の課題、差し立て箱の入れ口は、写真など縦長ヨコ長物も装飾効果を損なうことのない差し入れ口とします。
特に、日に日に発育する幼児の掲示後の写真は、幼児写真日誌として活用出来るので、写真のサイズ・カレンダーへの取り外しに配慮しています。
ご家族の絆が、自然に強まり楽しい想い出となることでしょう。
【考案を実施するための形態】
【０００５】            考案の実施の形態を図面により説明します。
図１  壁掛け式「写真ハガキ差し置き箱付き」カレンダーの見取り図
▲１▼「写真ハガキ差し置き箱」。▲２▼干支プレート。▲３▼壁掛けカレンダーの本体。
図２  立て置き式「写真ハガキ差し置き箱付き」カレンダーの見取り図
▲１▼「写真ハガキ差し置き箱」。▲２▼干支プレート。▲３▼縦置きカレンダーの本体。
【考案の効果】
【０００６】  本考案は上述の通りであります。
【０００７】  本案は「カレンダー」概念を一新した、家族カメラマンの「作品展示物」としての活用効果が大きい。
特に、家族ペットを含めての楽しさが倍加し、家族全員に明るさが増し、「幼子」の記録写真としての効果も、計り知れないほど大きい。
そして家族の絆…が叫ばれる今日、親族円満、楽しい家庭の形成に大きな効果が必ず上げられる。
【図面の簡単な説明】
【０００９】
【図１】壁掛け式「写真ハガキ差し置き箱付き」カレンダーの見取り図
【図２】立て置き「写真ハガキ差し置き箱付き」カレンダーの見取り図
【符号の説明】▲１▼．▲２▼．▲３▼．▲４▼表記符号
【図１】
0003174836.tif 000003
【図２】
0003174836.tif 000004
(57)【要約】      （修正有）【課題】ペットボトルのジュースを、コップ等に小分けで注ぐ時に、一定量を容易に注ぐことができる小分け用キャップを提供する。【解決手段】この小分け用キャップがあると指で押した分だけ注ぐ事が出来る（しょう油さしのキャップとペットボトルのフタの上をくり抜きドッキングさせた物）。すべてのペットボトルに適用可能である。【選択図】図３
0003174818.tif 000002
【実用新案登録請求の範囲】
【請求項１】
小分用キャップ‥‥ペットボトル用
【請求項２】
小分用キャップ‥‥ペットボトル用…フタ付
【考案の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【・・・・】
【考案が解決しようとする課題】
【・・・・】
【課題を解決するための手段】
【・・・・】
【考案の効果】
【・・・・】
【図面の簡単な説明】
【・・・・】
【図１】
【考案を実施するための形態】
【・・・・】
【実施例】
【・・・・】
【産業上の利用可能性】
【・・・・】
【符号の説明】
【・・・・】
【配列表フリーテキスト】
【配列表】
【図１】
0003174818.tif 000003
【図２】
0003174818.tif 000004
【手続補正書】
【提出日】平成24年1月18日(2012.1.18)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの蓋の天井部分を切り取った物（１）と、醤油さしの蓋（２）をドッキングさせることを特徴とする、小分け用キャップ。
【請求項２】
前記小分け用キャップの開口部に蓋をした事を特徴とする、請求項１の小分け用キャップ。
【手続補正２】
【補正対象書類名】明細書
【補正対象項目名】全文
【補正方法】変更
【補正の内容】
【考案の詳細な説明】
【技術分野】
【０００１】この考案は、ペットボトルのキャップを、醤油さしのキヤップをドッキングさせた小分け用キヤップに関するものである。
【背景技術】
【０００２】従来、ペットボトルの蓋と、醤油さしのキヤップはそれぞれが独立してきのうしている。
【先行技術文献】
【０００３】
【特許文献１】項番５、特許公開２００７−３３１７５６  小分け用容器又は飲料用容器  項番４０、登録実用新案第３１０７８３８号  小分け用容器又は飲料用容器
【考案の概要】
【考案が解決しようとする課題】
【０００４】息子の仕事の手伝いに駆り出されて、ホストクラブの現場でシャンパングラス２８０個を四角の７段に積み上げられたそのグラスにピンクのアルコ−ルを三分の一位に均等に注ぐ事を指示され、１リットル入りのペットボトルを片手に持ち、口径が２センチの口から注ぐと、出過ぎ、少なすぎ、横のグラスに移る時にこぼれ、自分の目の高さの上では、全く注ぐ事が出来ず、椅子に上がると更に重心がとりにくくふらつき、慣れが解解決すると再々挑戦するもうまく行かず、出来るだけ早く均等にこぼさずに注ぎたいが焦れば焦る程こぼれる。また、醤油さしは１０００ｃｃの容量のものはなく、せいぜい１５０ｃｃで２０個の紙カップに約５０ｃｃづつを注ぐことは出来ない、また１リットルのペットボトルで２０個の紙コップに約５０ｃｃを注ぐ事は傾きの角度で口径が約２センチで大巾に手がふるえて均等に注ぐ事が出来ない。本考案は以上のような欠点をなくす為になされたものである。
【考案が解決する為の手段】
【０００５】ペットボトルの蓋の天井部分を切り取った物（１）と、醤油さしの蓋（２）をドッキングさせる。本考案は、以上の構成によりなる、小分け用キャップである。
【考案の効果】
【０００６】息子の仕事の手伝いに駆り出されて、ホストクラブの現場でシャンパングラス２８０個を四角の７段に積み上げられたそのグラスにピンクのアルコ−ルを三分の一位に均等に注ぐ事を指示され、１リットルのペットボトル入りを片手に持ち、口径が２センチの口から注ぐと、出過ぎ、少なすぎ、横のグラスに移る時にこぼれ、自分の目の高さの上では、全く注ぐ事が出来ず、椅子に上がると更に重心がとりにくくふらつき、慣れが解解決すると再々挑戦するもうまく行かず、自分の手で押した分だけを注ぐ出来ないものかと思いついた小分け用キャップでは、いとも簡単に正確に三分の一の量を早く、こぼすことなく、目の上の高さでも、椅子の上でも簡単にできてしまう。自分が腰が痛く起き上がれない状態で水を飲もうと５００ｃｃのペットボトルに入った水に、小分け用キャップを装着して手で押して出る量を目で確認して使った所実にスム−ズに飲む事が出来た、つまりこの事は一生懸命に看病され、起き上がれない、病人さんに、水が飲みたいに応え飲ませても急須では、飲ませる側と受ける側の呼吸が合わず病人が怒る事は本当に気の毒としか言い様がないが、病人が手が動き、目で確認出来れば、つまり自分の意志と手で押す力具合で意図する量が得られ病人の笑顔が得られる。また台所に於いて、卵焼きの際にその都度油が必要ですが小分け用キャップを装着すれば、じつに簡単に必要量が押し出せ便利、みりん、米酢等、各種調味料にも活用でき、自分の欲する量が手の押す力加減で確保できる。また臭いのする、料理酒等にはフタ付きが有効でちなみに、餃子のたれにも、ラ−油にも活用できる。
【図面の簡単な説明】
【０００７】
【図１】本考案のペットボトルの蓋の正面図と底面図である。
【図２】本考案の醤油差しの蓋の左側面図と右側面図である。
【図３】本考案の完成品で右側側面図である。
【図４】本考案の断面図である。
【考案を実施する為の形態】
【０００８】以下、本考案を実施する為の形態について説明する。ペットボトルの天井部分をくりぬいたフタ（１）を、醤油さしのフタ（２）に差し込む。上部に醤油さしのフタ、下部に天井部分をくりぬいたペットボトルのフタをドッキングさせ固定する。本考案は、以上のような構造である。本考案を使用する時は、ペットボトルのフタと醤油さしのふたが一体になったキャップを１リットル、１．５リットルいや全てのペットボトルに装着し、注ぎたい分だけをペットボトルに力を加えて注げはよい。
【符号の説明】
【０００９】１、ペットボトルの蓋（天井部分を切抜いたもの）２、醤油さしの蓋
【手続補正３】
【補正対象書類名】図面
【補正対象項目名】全図
【補正方法】変更
【補正の内容】
【図１】
0003174818.tif 000005
【図２】
0003174818.tif 000006
【図３】
0003174818.tif 000007
【図４】
0003174818.tif 000008
(57)【要約】      （修正有）【課題】エギと呼ばれる魚釣り用ルアーをより遠方へキャスティングすることを可能とする補助具を提供する。【解決手段】エギ１をキャストする際に、突起物８と一体となったパイプ７を、釣り糸５に通し、エギの針部９をパイプ上の突起物に引っ掛ける、または針の先端を突き刺すことにより、重心（錘３のある部分）を後方に位置させ、釣り糸にダメージを与えることなく、より遠方へとキャストすることを可能にする。また、パイプ及び突起物の素材は、ラバーまたは、ビニールまたはウレタン製とすることが望ましい。【選択図】図１
0003174815.tif 000002
【実用新案登録請求の範囲】
【請求項１】
突起物と一体になったパイプを用いて、ルアー（エギ）をより遠方へキャストするための補助具。
【請求項２】
前記突起物及びパイプを、発光部材にて形成することによる集魚効果を持つことを特徴とする請求項１の補助具。
【考案の詳細な説明】
【考案の詳細な説明】
【技術分野】
【０００１】  本考案は、一般的にエギと呼ばれる魚釣り用ルアーに関する。
【背景技術】
【０００２】イカ釣りに使用されるルアーは「エギ」と呼ばれる。エギは、ボディ、アイ、針部及び錘にて構成される。アイに釣り糸を結び、キャストし、着水したエギは、海底に向かって沈降する。この動作は「フォール」と呼ばれ、イカ釣りの釣果に、この動作が大きく影響すると言われる。エギのボディ素材には、合成樹脂（ウレタン）、木材（桐）が使用される。特に、ボディ素材に木材を使用するエギはフォールの動作が優れているとされる。【０００３】釣り人は、ルアー（エギ）をより遠方へキャストしたいと望んでいる。ルアー（エギ）は、キャスティング（投げる）する時に重心が後方に位置している方が飛距離は長い。そのため、特許公開２００１−２９９１５４公報のように、重心移動式のルアーが開示されている。このルアーでは、本体の内部に前後方向に長い中空部を設けて、その中空部を移動可能な錘を有し、空中を飛行する時は、錘は後側（テール側）に位置する。逆にルアー（エギ）をリトリーブ（引き寄せる）する時は、錘が中空部前側に位置する構造をもつ。このような公知例のルアーは内部に複雑な構造を持つため、多くの加工工程と資材が必要となる。【０００４】エギの針部に真っ直ぐな針金を取り付けたエギがある。このエギは使用する際に、釣り糸に穴の開いた球体の補助具を取り付け、錘の付いた側を後方にし、補助具の釣り糸を通した穴に針金を突っ込み、重心（錘のある部分）を後方に位置させ、キャストする。
【特許文献】特許公開２００１−２９９１５４
【考案の概要】
【考案が解決しようとする課題】
【０００５】上記公知例のようなルアーは内部に複雑な構造を持つため、多くの加工と資材が必要となる。エギの場合、「フォール」の動作に釣果が左右されるため、工程数増加と資材増加によるボディと錘のバランスの問題が生じる。【０００６】針部に真っ直ぐな針金を取り付けるエギは、工程、資材の増加を生じ、キャストする際に使用する球体は、釣り糸を通す穴とエギに取り付けた針金を突っ込む穴が同じであるため、ルアーをキャスト、リトリーブする動作繰り返すルアーフィッシングでは、同じ穴に針金を繰り返し突っ込むことで釣り糸へのダメージを生じる。これが原因で、釣り糸が切れることがある。更に、この方法では針部に釣り糸が触れることにより、ダメージが生じ、釣り糸が切れることがある。【０００７】本考案の目的は、エギに特別な加工を施すことなく、既存のまま使用し、釣り糸にダメージを与えることなく、より遠方へキャストするための補助具の提供にある。
【課題を解決するための手段】
【０００８】本考案は、エギをキャストする際に、突起物と一体となったパイプ（図２）を、釣り糸に通し、エギの針部をパイプ上の突起物に引っ掛ける、または針の先端を突き刺すことにより、重心（錘のある部分）を後方に位置させ、釣り糸にダメージを与えることなく、より遠方へとキャストすることを可能にする。
【考案の効果】
【０００９】本考案は、ルアー（エギ）をより遠方へキャストするために、ボディ内部、針部に特別な加工施す必要がない。既存のルアー（エギ）を使用することが可能である。【００１０】本考案は、直接、釣り糸が針部、針金に触れることを防ぐ。そのため釣り糸にダメージを与えることがない。【００１１】本考案である補助具の本体全部または一部に発光部材を用いることで、より魚（イカ）へのアピールに寄与する。
【考案を実施するための形態】
【００１２】考案の実施の形態を図面を参照して説明する。パイプとパイプ上の突起物は、パイプと突起物が接着されたもの（図２）、一体成型されたもの（図３）。パイプ部分の長さは、少なくとも釣り糸が針部に触れない長さを有する。突起物は、少なくとも針部に引っ掛かる大きさを有する。
パイプ及び突起物の素材は、ラバーまたは、ビニールまたは、ウレタン製の物が望ましい。
【産業上の利用可能性】
【００１３】補助具の形態は図のような形状にすることにより、好ましい効果を得ることができるが、形状は図示のものに限定されず、ルアー（エギ）の針部に引っ掛かる形態であれば適用可能である。
【図面の簡単な説明】
【００１４】
【図１】図１は、補助具をエギにセットする一実施形態である。
【図２】図２は、本考案の補助具（一体成型でないもの）の正面図である。
【図３】図３は、本考案の補助具（一体成型のもの）の正面図である。
【図４】図４は、本考案の補助具の拡大断面図（一体成型でないもの）である。
【図５】図５は、図１のエギの使用状態が示された正面図である。
【符号の説明】
【００１５】１・・・エギ
２・・・ボディ
３・・・錘
４・・・アイ
５・・・釣り糸（ライン）
６・・・補助具
７・・・パイプ
８・・・突起物
９・・・針部
【図１】
0003174815.tif 000003
【図２】
0003174815.tif 000004
【図３】
0003174815.tif 000005
【図４】
0003174815.tif 000006
【図５】
0003174815.tif 000007
【手続補正書】
【提出日】平成23年10月14日(2011.10.14)
【手続補正１】
【補正対象書類名】実用新案登録請求の範囲
【補正対象項目名】全文
【補正方法】変更
【補正の内容】
【実用新案登録請求の範囲】
【請求項１】
釣り（ルアーフィッシング）に使用する道具で、本体を釣り糸に通し、本体上の幅の広い円（楕円）柱形の部分を、ルアー（エギ）の針部にて固定することにより、より遠方へキャストすることを可能とする能力を有することを特徴とする道具。
【請求項２】
前記突起物及びパイプを、発光部材にて形成することによる集魚効果を持つことを特徴とする請求項１の道具。
【手続補正書】
【提出日】平成24年1月18日(2012.1.18)
【手続補正１】
【補正対象書類名】実用新案登録請求の範囲
【補正対象項目名】全文
【補正方法】変更
【補正の内容】
【実用新案登録請求の範囲】
【請求項１】
円柱形もしくは球形の突起物を有することを特徴とする魚釣り用パイプ。
【請求項２】
前記突起物及びパイプの全体、もしくは突起物、パイプの一部を発光部材にて形成することを特徴とする請求項１のパイプ。
(57)【要約】      （修正有）【課題】腰痛、褥瘡を予防し、症状を軽減させる、個人の症状に合った寝具を提供する。【解決手段】人間の手首付近から指先までの義手形で、内部にポリエチレンパイプや乾燥材のシリカゲルを適量封入させたハンドクッションを、大判の固定子を持つ面ファスナーを有するケースに収納する。【選択図】図２
0003174813.tif 000002
【実用新案登録請求の範囲】
【請求項１】
腰痛、褥瘡予防等の為、人体にやさしい素材を使い人体を安全にしっかりと保持するように作った、軽くて丈夫な構造を持つ義手形のハンドクッションとハンドクッション専用ケース。それらの形状と構造を範囲とする。
【請求項２】
腰痛、褥瘡予防等の為、義手形のハンドクッションをハンドクッション専用ケースに入れ、ハンドクッション専用ケースに縫い込まれた面ファスナーを用い、体に合う箇所まで移動させ、敷きパット上の適所に縫いつけられた接着布に取りつけることができる。その微調整によって個人の症状に合わせた効果的な使い方が可能である。それらの形状と構造を範囲とする。
【考案の詳細な説明】
【技術分野】
【０００１】本考案は、日常的な腰痛、要介護者の褥瘡の予防と症状の軽減、個人の症状に合った寝具の提供に関するものである。
【背景技術】
【０００２】従来の就寝時に寝具にかかる体の圧力を全身のいたるところで均一にしようと言う試みは、健常者向けが多い。しかし、介護の補助寝具と機器への発展性が曖味であるため、より介護の補助寝具と機器への発展性を持った寝具を考案した。
【考案の概要】
【考案が解決しようとする課題】
【０００３】就寝時、臀部に集中しがちな体重を、腰や足に分散させ腰痛や褥瘡を予防解消する。個人の症状に合った寝具の提供。
【問題を解決するための手段】
【０００４】腰部と腹部の重みは腰部、腹部の下のクッションで支える。また、足の重さは腿下のクッションで支え、臀部の重さ以外の体重を臀部で支えないように工夫した。
【考案の効果】
【０００５】介抱されているような寝心地の効果が得られる。腰痛と褥瘡の予防解消の効果のほか、いびきの予防、就寝場所の省スペース化にも効果がある。
【図面の簡単な説明】
【０００６】
【図１】ハンドクッションとその付属品を組み合せ実施方法を示した説明図である。
【図２】ハンドクッション内部の材料と構造、ハンドクッション専用ケースの構造を示した説明図である。
【０００７】図２の内部には、直径５ｍｍ、長さ８ｍｍでカットされたポリエチレンパイプが９５パーセントと乾燥防虫剤のシリカゲルが５パーセント入れられている。それが綿製の義手袋に適量封入され、更にその上から、天然ゴム、アクリル等の無害な素材で作られた義手袋に二重構造で密封されている。それを吸水性と通気性に優れたハンドクッション専用ケースに入れ使用する。専用ケースは随時洗濯可能である。
【符号の説明】１  ハンドクッション専用ケース
２  アクリル製面ファスナー
３  腰用ハンドクッション
４  臀部用ハンドクッション
５  トイニット製接着布
６  脚部用ハンドクッション
７  接着布付ベットパット
８  ベットパット固定平ゴム
９  汎用マットレス、布団
【考案を実施するための形態】
【０００８】図１で示したクッションを使って仰向けでの就寝時に、腰の左右、臀部の左右、右足左足の下に設置する。
【実施例】
【０００９】図１の下図は具体的な実施例で、腰部、臀部、脚部での支えがある状態である。【００１０】身長、骨格などによってクッションの設置個所が異なる。身長によって寝具の長い辺でのクッションの間隔が決まり、クッションの大きさも決まる。ウエスト周りとヒップ周りで寝具の短い辺でのクッションの間隔が決まる。Ｓ，Ｍ，Ｌなどの同じサイズでも骨格や体重は個人差がある為、クッションはユーザーが微調節できるように貼り合せが自由なアクリル製の面ファスナーがハンドクッション専用ケース側に付いている。それをケースごと敷きパットから剥がし、敷きパット上の接着布の適切な場所に移動させて貼り付け、固定して寝具として使用する。
【図１】
0003174813.tif 000003
【図２】
0003174813.tif 000004
【手続補正書】
【提出日】平成23年8月15日(2011.8.15)
【手続補正１】
【補正対象書類名】実用新案登録請求の範囲
【補正対象項目名】全文
【補正方法】変更
【補正の内容】
【実用新案登録請求の範囲】
【請求項１】
使用者の就寝時の腰痛、褥瘡予防を目的として考案された寝具で、就寝時、マット、マットレス、敷き布団と体の間にクッションとして複数、効果的配置で使用し、主に腰下から股下にかけて腰痛予防効果の高い肉体保持形状を持つが、核となるその形状の考案は、人間の手の形状によるやさしい介抱を目指すことに起因していて、人間の手首付近から指先までの義手形を形状の特長にし、内部に通気性の良いクッション素材であるポリエチレンパイプや乾燥材のシリカゲルを適量封入させ、人体にやさしい衛生的な素材を材料として使った腰痛予防寝具ハンドクッション。
【請求項２】
請求項１記載の就寝時の人体の腰痛、褥瘡の予防を目的に作られたハンドクッションを収納し付属の小型面ファスナーで封をするハンドクッション専用ケースにおいては、ケースの手の甲に相当する面に縫い付けられた大判の固定子を持つ面ファスナーを用いて、あらかじめマントや布団上に敷設された専用の接着布付ベッドパット上を、使用者の腰下付近にあたる部分から股下付近にあたる部分にかけて使用者の体形に合わせて、移動調節させ、設置位置を決定したら面ファスナーと接着布を接着固定し、腰痛、褥瘡の予防に有効な体の箇所を、接着布付ベッドパットの上面にずれたりしないように接着された状態で効果的に支えることを目的とした考案で、それを実現するのが、繰り返し洗濯が可能な綿製ハンドクッション専用ケース。
【請求項３】
請求項１記載のハンドクッションの専用の接着布付きベッドパットの考案においてだが、これは、マットレスや布団などの寝具に２本の平ゴムで市販のベッドパットや敷きパットのように取り付けることができ、そのハンドクッションの専用の接着布付ベッドパット上には使用者の腰の下付近になる部分から股の下付近にあたる部分にかけて、腰痛、褥瘡の予防に有効な適所に縫い付けられた洗濯に適した接着布があり、請求項１記載のハンドクッションを内包し封入した請求項２記載のハンドクッション専用ケースに縫い付けられた大判の面ファスナーを随時、接着固定させるという考案で、接着固定させたその上に使用者が腰痛、褥瘡の予防を兼ね就寝するという機能的役割を持つ、繰り返し洗濯可能なハンドクッション専用の接着布付ベットパット。
(57)【要約】      （修正有）【課題】大根おろしにおいて、面倒なおろし始めを細かいピッチの歯とすることによりすべり良くし、荒め、細かめを同時に使い分けることにより、部分おろしが一度に可能となる竹製ダブル歯大根おろし器を提供する。【解決手段】素材として竹を使用し、好みの粗さ・細かさで一度でおろせる様に歯を粗め、細かめのダブルとする。また、手前部分に細かい目の歯をつけることにより、大根おろしをスムーズにすり始められるようにする。この構成により、一本のおろし器で、粗め、細かめをおろし分けることができ、さらに、竹製であるので、食材に金属臭やプラスチックの化学臭がつくことを防止できる。【選択図】図２
0003174820.tif 000002
【実用新案登録請求の範囲】
【請求項１】
竹製の大根おろし器の荒め、細かめ２種類の歯を一つの大根おろし器に合体させたことでお好みにより一度に荒め、細かめが簡単にできる。細かいピッチの歯は手前につけたことで、より易しくおろし始めることができる。主婦、子供、高齢者の方も簡単においしい大根おろしができることを特徴とする。
【考案の詳細な説明】
【技術分野】
【０００１】台所調理道具の中、竹製野菜おろし器である。
【背景技術】
【０００２】大変面倒であった大根おろしの作業をより簡単に、そしておいしい大根おろしがおろせるよう、竹製のダブル歯にした。
【背景技術】
【０００３】主婦にとって野菜類をおろす作業は殆どが金や銅のおろし器を使っていた。
最近ではプラスチック、セラミック製のものを使う方も増えてきたが、特に大根おろしは大変な重労働であった。さらにこれらでおろすと、細かくなりすぎ、栄養分、旨み分を水溶化し、結局逃がしてしまっていた。
【考案が解決しようとする課題】
【０００４】ダブル歯仕様の大根おろし器は一度でお好みのおろしが簡単にできる。大雑把におろすことにより、その食感は何とも言えない。大根、野菜、果物等の食物繊維を壊すことなく、風味、栄養分を逃がさない。天然の竹を使用しているので金、銅のおろし器の金属臭もなく、長年使用していても錆つくことはない。
プラスチック製のおろし器のそれとは違い、ぬめり感がなく、化学臭もつくことはない。
【問題を解決するための手段】
【０００５】竹製ダブル歯にすることによって一度でお好みのおろしが簡単にできる。
【問題を解決するための形態】
【０００６】手前に細かいピッチ歯をすげることで大変スムースにおろし始めることができる。
さらに、程よい荒さが楽にできる。
【考案の効果】
【０００７】上述のように、本考案の大根おろし器ダブル歯は大変楽におろすことができる、と同時にお好みにより、荒め、細かめ、が一度にできる。さらにもし、廃棄する場合も天然素材を使ったものであり、環境にやさしいエコ商品の最たるものです。
【図面の簡単な説明】
【図１】  本考案の正面図である。
【図２】  本考案の平面図である。
【図３】  本考案の底面図である。
【図４】  本考案の右側面図である。
【図５】  本考案の左側面図である。
【図６】  本考案のＡ−Ａ線断面図である。
【図７】  本考案の参考斜視図である。
【図１】
0003174820.tif 000003
【図２】
0003174820.tif 000004
【図３】
0003174820.tif 000005
【図４】
0003174820.tif 000006
【図５】
0003174820.tif 000007
【図６】
0003174820.tif 000008
【図７】
0003174820.tif 000009
【手続補正書】
【提出日】平成24年1月11日(2012.1.11)
【手続補正１】
【補正対象書類名】実用新案登録請求の範囲
【補正対象項目名】全文
【補正方法】変更
【補正の内容】
【実用新案登録請求の範囲】
【請求項１】
竹製の大根おろし器の荒め、こまかめ２種類の歯を一つの大根おろし器に合体させたことでお好みの粗さ、細かさに一度でおろすことが可能であり、さらに手前に細かい歯が付いていることでより易しく、簡単におろし始めることが出来るので、主婦、子供、高齢者にも大変扱いやすい竹製ダブル歯大根おろし器である。
【手続補正２】
【補正対象書類名】明細書
【補正対象項目名】全文
【補正方法】変更
【補正の内容】
【考案の詳細な説明】
【技術分野】
【０００１】台所調理道具の中、竹製野菜おろし器である。
【背景技術】
【０００２】大変面倒であった大根おろしの作業をより簡単に、そして易しくおいしい大根おろしがおろせるよう、竹製のダブル歯にした。
【背景技術】
【０００３】野菜の種類によって、又粗め、細かめの違いによって、殆どの主婦は何種類かの金製や銅製、最近ではプラスチック、セラミック製等を使っている。
【考案が解決しようとする課題】
【０００４】野菜をおろす作業は大変面倒である、特に大根おろしはその最たるものであり、金製、銅製、プラスチック、セラミック製、では、金属臭、化学臭がついてしまう上、細かすぎて旨み分は水溶化してしまう。
【問題を解決するための手段】
【０００５】本考案は竹の歯を粗め、細かめダブルとし、お好みにより下ろし分けることが可能となり、手前に細かめの歯をつけることにより、易しく楽に、程よく粗めのおいしい大根おろしができる。
【問題を解決するための形態】
【０００６】手前に細かいピッチの歯をすげ、ダブル歯になっているので、大変スムースにおろし始めることが出来る上、好みにより粗め、細かめの２種類の歯を用意することなく、一度で可能である。
【考案の効果】
【０００７】上述のように、本考案の竹製ダブル歯大根おろし器は大変楽におろすことが出来る、と同時にお好みにより粗め、細かめが一度に出来るのはもちろん、手前に細かめの歯がついているので主婦はもちろん、子供、高齢者にもとても扱いやすい。
【図面の簡単な説明】
【０００８】
【図１】本考案の正面図である。
【図２】本考案の平面図である。
【図３】本考案の底面図である
【図４】本考案の右側面図である。
【図５】本考案の左側面図である。
【図６】本考案のＡ−Ａ線断面図である。
【図７】本考案の参考斜面図である。
(57)【要約】      （修正有）【課題】カーテン用布地などのサンプル用布を陳列するハンガーを金属、または樹脂で一筆書きのように１つのラインのみで形成することにより、陳列幅を縮少し、陳列点数を増やすことができるようにしたハンガーを提供する。【解決手段】パイプにひっかける部分１から斜めにさがり布を吊り下げる底部２をＵ字型にし、一筆書きのように１つのラインのみで形成することにより、接合部のないスリムな形状とする。これにより、上部を筒状に縫った布をＵ字部に手前から後ろに差し込むことが容易となり、サンプル用布の使用量を減らし、たくさんのサンプル布を陳列可能にし、かつサンプル布の全体の柄ゆきを見せることができるほか、生地を寄せてギャザーをとった状態も確認でき、さらには、ハンガーの再利用、またはリサイクルが容易になる。【選択図】図２
0003174814.tif 000002
【実用新案登録請求の範囲】
【請求項１】
金属または、合成樹脂からなる、接合部のない、一体成型カーテン等布の陳列用ハンガー。
【考案の詳細な説明】
【技術分野】
【０００１】本考案は、接合部がなく一体成型することにより、布の使用量を減らし、たくさんの布を陳列可能にし、布の全体のがらゆきを見せることができ、さらには、再利用、原料のリサイクルが可能なハンガーに関するものである。
【背景技術】
【０００２】カーテンメーカーショールーム、小売店等において、カーテンサンプル布地のハンガーは、金属製の釣り部と、厚紙や樹脂製のもので布地を挟み込んで陳列をしていた。
【先行技術文献】
【特許文献】
【０００３】
【特許文献１】実全昭５８−０１４７６６号  公報
【特許文献２】実全昭６２−１６４８７１号  公報
【考案の概要】
【考案が解決しようとする課題】
【０００４】カーテン等布のサンプル陳列による経済的負担は大きく、スペースも必要になる。また、近年の大柄人気の対応のため、総柄全体を確認したいという顧客の要望も増えてきている。
また、顧客の好みの多様により、限られたスペースで、たくさんの陳列、さらには、省エネルギーの観点により、長期的に使用できる丈夫さ、リサイクルのしやすさ等が求められている。従って接合部がなくコンパクトで同一原料一体成型の本ハンガーの機能を利用することにより、前述の欠点を解決しようとするものである。
【課題を解決するための手段】
【０００５】本考案は、ハンガーを金属製、または樹脂製で接合部なく一体成型し、片側は、パイプなどにひっかけ、底部の片側より、パイプ通し状の布を滑り込ませ、通常は２つ折りの布の陳列を可能とする。パイプ等にひっかける部分と布を挟み込む厚紙、または樹脂部分の２分割構造でないため、陳列に必要とする幅が、通常の３分の１から２分の１程度となり、確実に陳列点数を増やすことが可能となる。また、顧客に布地のがらゆきを見せる際、ハンガー底部の片側の布を引っ張っていくと、二つにおられた布がスライドし、全体の柄を見せることが可能となる。逆に生地を寄せギャザーを作り、カーテンのイメージをしやすくすることも可能である。
また、今までのサンプルは、ハンガー部と生地が固定されていたため、生地の廃番、カタログのリニューアルごとにハンガーを廃棄していたが、このハンガーは、生地が簡単に外せること、ハンガーが丈夫なため、数年にわたり、再利用が可能である。
さらに、廃棄をする際、同一素材の一体成型のため、リサイクルの分別の手間が省け、確実にリサイクルが可能である。
よって、本考案は、陳列、リサイクルの観点での全ての問題点を解決できる。
【考案の効果】
【０００６】上述のように本考案のハンガーを利用することにより、省スペースでの展示が可能となり、顧客と販売員とのイメージの共有がより高まり、顧客、小売店、生地メーカーともに有益である。
また、生地の使用量も少なくて済むので、生地メーカーで用意する、１本のヘッダーサンプルのための布量が半分で済む。また、生地の廃番に伴い廃棄していたハンガーであるが、本考案のハンガーは、繰り返し使用が可能なため、ＣＯ２削減効果もある。万が一ハンガーを処分する際も、一体化製品のため、分別の手間もなく、資源として積極的な再利用も可能であり、エコロジー的視点でも社会に役立つ。
【図面の簡単な説明】
【０００７】
【図１】本考案の一体成型ハンガーの上から見た図である。
【図２】本考案の一体成型ハンガーの正面図である。
【図３】本ハンガーに布を通した陳列時の正面図である。
【図４】本ハンガーを使用して、布のがらゆき全体を見せたときの正面図である。
【図５】従来の展示状態の断面図
【図６】本考案の展示状態の断面図
【符号の説明】
【０００８】１．ハンガーパイプにひっかける部位
２．パイプ通し縫いをしたカーテンをさしこむ部位
３．パイプ通し縫いをしたカーテン差し込み口
４．パイプ通し縫い部位
５．生地の折り返しの「わ」部
６．既存展示用ハンガーのハンガーパイプに引っ掛ける部位
７．既存展示用ハンガーの布を覆うカバー
８．既存展示用ハンガーの布を固定するビス等部品
９．展示用布
【図１】
0003174814.tif 000003
【図２】
0003174814.tif 000004
【図３】
0003174814.tif 000005
【図４】
0003174814.tif 000006
【図５】
0003174814.tif 000007
【図６】
0003174814.tif 000008
【手続補正書】
【提出日】平成23年10月7日(2011.10.7)
【手続補正１】
【補正対象書類名】実用新案登録請求の範囲
【補正対象項目名】全文
【補正方法】変更
【補正の内容】
【実用新案登録請求の範囲】
【請求項１】
本考案は、パイプにひっかける部分から斜めにさがり布を吊り下げる底部をＵ字型にし、一筆書きのように１つのラインのみで構成することにより、接合部のないスリムな形状となり、上部を筒状に縫った布をＵ字部に手前から後ろに容易に差し込むことを可能にし、サンプル用布の使用量を減らし、たくさんのサンプル布を陳列可能にし、かつサンプル布の全体の柄ゆきを見せることができるほか、布を寄せてギャザーが寄った状態を確認でき、さらには、再利用、またはリサイクルが容易に可能なハンガーに関するものである。
【手続補正書】
【提出日】平成24年1月23日(2012.1.23)
【手続補正１】
【補正対象書類名】実用新案登録請求の範囲
【補正対象項目名】全文
【補正方法】変更
【補正の内容】
【実用新案登録請求の範囲】
【請求項１】
本ハンガーは、「パイプにひっかける部分」、「布を吊り下げる底部」、及び、「パイプにひっかける部分」と「布を吊り下げる底部」とを結ぶ斜めに下がる部分を有し、「布を吊り下げる底部」をＵ字型にし、「パイプにひっかける部分」から「布を吊り下げる底部」までを一筆書きのように１つのラインのみで構成する形状のハンガー。
(57)【要約】      （修正有）【課題】身軽で、安全性・実用性・通気性・速乾性を考慮し、且つ、小物を入れるための小ポケットを、安全な場所に設けた、ポケット付衣服を提供する。【解決手段】衣服の左右両側袖部１、１’、或いは、片側袖部の腕付根部付近の前面側に、ペン、カード等の小物を入れるためのポケット部２を、袖部生地に縫着して設ける。さらに、該ポケット部のポケット口を形成する上・下口縁部に硬めの芯地を入れると共に、ポケット部の下口縁部の両端部付近を、それぞれ湾曲状に形成する。【選択図】図１
0003174893.tif 000002
【実用新案登録請求の範囲】
【請求項１】
ジャンパー、コート、ジャケット等の衣服（ＪＡ）において、該衣服の左右両側袖部（１）（１'）、或いは、片側袖部（１）の腕付根部付近の前面側に、ペン（Ｐ）、カード（Ｃ）等の小物を入れるためのポケット部（２）を、袖部（１）生地に縫着して設け、該ポケット部（２）のポケット口を形成する上・下口縁部（２ａ），（２ｂ）に硬めの芯地（３）を入れると共に、ポケット部（２）の下口縁部（２ｂ）の両端部付近を、それぞれ湾曲状に形成することを特徴とするポケット付衣服。
【考案の詳細な説明】
【技術分野】
【０００１】
この考案は、ポケット付衣服に関するものである。
【背景技術】
【０００２】
従来、スポーツや作業時等に着用するジャケットは、カジュアルで安全性や実用性を重視したものが多く、形状や生地や縫製仕様等を見ても、シンプル、且つ、頑丈なものが多く、近年では速乾性・通気性・弾力性の良い生地を使用したものが多く見られるように成った。
【０００３】
又、特にスポーツウェア等には、ポケットがあると、物に引っ掛け易くなるため、危険であり、安全性面を考慮して、ポケットの無いものが多い。
【０００４】
しかし、現実問題として、レジャーや作業時等では、ポケットが無いと、非常に不便であり、ちょっとした小物が入る程度の小ポケットを、安全で使い勝手の良い場所に設けた衣服の早期開発が望まれている。
【先行技術文献】
【特許文献】
【０００５】
これまでに出願されている衣服に関する特許文献を、参考の為、紹介する（参考文献１〜２参照）。
【特許文献１】特開２００５−０４０４８５
【特許文献２】特開２００５−０２１６６７
【考案の開示】
【考案が解決しようとする課題】
【０００６】
そこで、上記課題を解決する為に、この考案は身軽で、安全性・実用性・通気性・速乾性を考慮し、且つ、小物を入れるための小ポケットを安全な場所に設けたポケット付衣服を開発・提供する事にある。
【課題を解決するための手段】
【０００７】
この課題を解決するための手段として、衣服の左右両側袖部、或いは、片側袖部の腕付根部付近の前面側に、ペン、カード等の小物を入れるためのポケット部を、袖部生地に縫着して設け、該ポケット部のポケット口を形成する上・下口縁部に硬めの芯地を入れると共に、ポケット部の下口縁部の両端部付近を、それぞれ湾曲状に形成することを特徴とするものである。
【考案の効果】
【０００８】
この考案の効果として、衣服の左右両側袖部、或いは、片側袖部の腕付根部付近の前面側に、ペン、カード等の小物を入れるためのポケット部を、袖部生地に縫着して設け、該ポケット部のポケット口を形成する上・下口縁部に硬めの芯地を入れると共に、ポケット部の下口縁部の両端部付近を、それぞれ湾曲状に形成することで、非常に便利で使い勝手が良く、且つ、身軽で、安全性・実用性・通気性・速乾性に優れ、且つ、ポケットの口部を湾曲状に形成することで、縁部が拡がり、小物が入れ易く、更に、ポケットの口縁部に芯地を入れることで、ポケット口の上・下の口縁部が厚手となり、小物を入れる場合、ポケット部を見ることなく、ポケット口を探り当てることが容易に成る。又、ポケットの口縁部が再三の小物の出し入れによる解れを防止する等、極めて有益なる効果を奏するものである。
【図面の簡単な説明】
【０００９】
【図１】この考案の一実施例を示し、ポケット付衣服の正面図である。
【図２】この考案の一実施例を示し、ポケット付衣服の正面図である。
【図３】この考案の一実施例を示し、図１のａ−ａ矢視拡大断面図である。
【図４】この考案の使用例を示し、（Ａ）はポケット部にカードを挿入時の正面図で、（Ｂ）はポケット部にペンを挿入係止時の正面図である。
【考案を実施するための形態】
【００１０】
この考案を実施するための形態として、ジャンパー、コート、ジャケット等の衣服（ＪＡ）において、該衣服の左右両側袖部（１）（１'）、或いは、片側袖部（１）の腕付根部付近の前面側に、ペン（Ｐ）、カード（Ｃ）等の小物を入れるためのポケット部（２）を、袖部（１）生地に縫着して設け、該ポケット部（２）のポケット口を形成する上・下口縁部（２ａ），（２ｂ）に硬めの芯地（３）を入れると共に、ポケット部（２）の下口縁部（２ｂ）の両端部付近を、それぞれ湾曲状に形成することを特徴とするポケット付衣服から構成される。
【実施例１】
【００１１】
そこで、この考案の一実施例を図１〜図３に基づいて詳述すると、図１はポケット付衣服（メーカー製品名：半袖ジップアップ）の正面図で、図２は背面図を示し、左側袖付根部の上部前面側に小物入れ用の小ポケット（ポケットの口幅：約９ｃｍ）を縫着して設け、且つ、ポケットの口部周囲には、約６ｍｍ幅の芯地（３）を入れて、形崩れしないよう配慮され、且つ、ポケットの口部両端を湾曲状に形成して、小物の出し入れが容易に出来るよう配慮されている。又、前記のポケットの上・下口縁部に芯地（３）を入れることで、ポケット口部が厚手となり、目視することなく、触っただけでポケットの位置が把握出来る為、使い勝手が良く、更に、解れ等の心配も解消できる。
【００１２】
尚、上記小ポケットは、左側袖部のみに縫着されているが、状況や要求に応じて左右両側袖部に縫着しても構わない。
【００１３】
又、上記ポケット付衣服の身頃前面・背面及び左右両袖部の生地には、吸汗速乾性にすぐれたディンプルメッシュ材を使用し、且つ、身頃前面側の左右脇部から首付根部にかけて、通気性を良くするため、メッシュ材を使用している。
【００１４】
そして、更に襟元周囲には、プリント入り汗止めテープが縫着され、更に前立て部には、フロントファスナーが縫着されている。
【００１５】
そして、図３は図１のａ−ａ矢視断面拡大図を示し、ポケット部（２）の断面構造を示したもので、袋状に設けたポケット部（２）には、図４（Ａ）に示すように、各種のカード（Ｃ）を挿入したり、又、図４（Ｂ）に示すように、ペン（Ｐ）を挿着したりする、小物入れ用に使用するものである。
【産業上の利用可能性】
【００１６】
この考案のポケット付衣服は、身軽で、安全性・実用性・通気性・速乾性を考慮し、且つ、小物を入れるための小ポケットを安全な場所に設けたことで、着心地が良く、使い勝手が良いため、製造・販売することで、多くの衣料関係及び縫製業市場に寄与する点で、産業上の利用可能性を有する。
【符号の説明】
【００１７】
１  袖部（左側）
１'  袖部（右側）
２  ポケット部
２ａ  上口縁部
２ｂ  下口縁部
３  芯地
Ｃ  カード
ＪＡ  衣服
Ｐ  ペン
【図１】
0003174893.tif 000003
【図２】
0003174893.tif 000004
【図３】
0003174893.tif 000005
【図４】
0003174893.tif 000006